(57)【要約】  ユーザ機器（ＵＥ）は、基地局（ＢＳ）から、無線リソース制御（ＲＲＣ）シグナリングを介して物理ダウンリンク制御チャネル（ＰＤＣＣＨ）受信のための１つ又は複数の送信構成指標（ＴＣＩ）状態と、物理ダウンリンク共有チャネル（ＰＤＳＣＨ）を介してＴＣＩ状態のうちの１つに関する媒体アクセス制御  制御要素（ＭＡＣ  ＣＥ）アクティベーション・コマンドとを受信する受信機を含む。ＵＥは、スロットで、ＭＡＣ  ＣＥアクティベーション・コマンドのハイブリッド自動再送要求（ＨＡＲＱ）をＢＳに送信する送信機と、送信機がＨＡＲＱを送信するスロットの後のｋスロットで、ＴＣＩ状態のうちの１つをアクティブ化するプロセッサとをさらに含む。ｋの値は、スロットの数を示す。
2021512528.tif 000002
【特許請求の範囲】
【請求項１】
ユーザ機器（ＵＥ）であって、当該ユーザ機器は、
基地局（ＢＳ）から、無線リソース制御（ＲＲＣ）シグナリングを介して物理ダウンリンク制御チャネル（ＰＤＣＣＨ）受信のための送信構成指標（ＴＣＩ）状態と、物理ダウンリンク共有チャネル（ＰＤＳＣＨ）を介して前記ＴＣＩ状態のうちの１つに関する媒体アクセス制御  制御要素（ＭＡＣ  ＣＥ）アクティベーション・コマンドとを受信する受信機と、
スロットで、前記ＭＡＣ  ＣＥアクティベーション・コマンドのハイブリッド自動再送要求（ＨＡＲＱ）を前記ＢＳに送信する送信機と、
前記送信機が前記ＨＡＲＱを送信する前記スロットの後のｋスロットで、前記ＴＣＩ状態のうちの前記１つをアクティブ化するプロセッサと、を含み、
前記ｋの値は、スロットの数を示す、
ユーザ機器（ＵＥ）。
【請求項２】
前記ＴＣＩ状態のそれぞれが、前記ＰＤＣＣＨ受信に使用されるリソースを示し、
前記受信機は、前記送信機が前記ＨＡＲＱを送信する前記スロットの後の前記ｋスロットで、前記ＴＣＩ状態のうちの前記アクティブ化された１つによって示されるリソースに対してＰＤＣＣＨ受信を行う、請求項１に記載のユーザ機器（ＵＥ）。
【請求項３】
前記ｋの値は、３ＧＰＰ仕様で規定された固定値である、請求項１に記載のユーザ機器（ＵＥ）。
【請求項４】
前記ｋの値は、前記ＲＲＣシグナリングを使用して前記ＢＳによって通知される、請求項１に記載のユーザ機器（ＵＥ）。
【請求項５】
前記ｋの値は、ＭＡＣ  ＣＥ及びダウンリンク制御情報（ＤＣＩ）のうちの少なくとも１つを使用して、前記ＢＳによって動的に切り替えられる、請求項１に記載のユーザ機器（ＵＥ）。
【請求項６】
ユーザ機器（ＵＥ）であって、当該ユーザ機器は、
基地局（ＢＳ）から、無線リソース制御（ＲＲＣ）シグナリングを介して物理ダウンリンク共有チャネル（ＰＤＳＣＨ）受信のための複数の送信構成指標（ＴＣＩ）状態と、ＰＤＳＣＨを介して前記複数のＴＣＩ状態のうちのアクティブ化されたＴＣＩ状態を示す媒体アクセス制御  制御要素（ＭＡＣ  ＣＥ）アクティベーション・コマンドとを受信する受信機と、
スロットで、前記ＭＡＣ  ＣＥアクティベーション・コマンドのハイブリッド自動再送要求（ＨＡＲＱ）を前記ＢＳに送信する送信機と、
プロセッサと、を含み、
前記受信機は、前記ＰＤＳＣＨ受信に使用される所定のＴＣＩ状態を示すダウンリンク制御情報（ＤＣＩ）を受信し、
前記プロセッサは、前記ＵＥ内の前記所定のＴＣＩ状態に対応する前記アクティブ化されたＴＣＩ状態のうちの１つを、前記送信機が前記ＨＡＲＱを送信する前記スロットの後のｋスロットに適用し、
前記ｋの値は、スロットの数を示す、
ユーザ機器（ＵＥ）。
【請求項７】
前記所定のＴＣＩ状態は、前記ＰＤＳＣＨ受信に使用されるリソースを示し、
前記受信機は、前記送信機が前記ＨＡＲＱを送信する前記スロットの後の前記ｋスロットで、前記所定のＴＣＩ状態によって示されるリソースに対してＰＤＳＣＨ受信を行う、請求項６に記載のユーザ機器（ＵＥ）。
【請求項８】
前記ｋの値は、３ＧＰＰ仕様で規定された固定値である、請求項６に記載のユーザ機器（ＵＥ）。
【請求項９】
前記ｋの値は、前記ＲＲＣシグナリングを使用して前記ＢＳによって通知される、請求項６に記載のユーザ機器（ＵＥ）。
【請求項１０】
前記ｋの値は、ＭＡＣ  ＣＥ及びＤＣＩのうちの少なくとも１つを使用して、前記ＢＳによって動的に切り替えられる、請求項６に記載のユーザ機器（ＵＥ）。
【請求項１１】
ユーザ機器（ＵＥ）であって、当該ユーザ機器は、
基地局（ＢＳ）から、無線リソース制御（ＲＲＣ）シグナリングを介して物理アップリンク制御チャネル（ＰＵＣＣＨ）送信のための１つ又は複数の空間関係情報構成と、物理ダウンリンク共有チャネル（ＰＤＳＣＨ）を介して前記空間関係情報構成のうちの１つをアクティブ化するために使用される媒体アクセス制御  制御要素（ＭＡＣ  ＣＥ）アクティベーション・コマンドとを受信する受信機と、
スロットで、前記ＭＡＣ  ＣＥアクティベーション・コマンドのハイブリッド自動再送要求（ＨＡＲＱ）を前記ＢＳに送信する送信機と、
前記送信機が前記ＨＡＲＱを送信する前記スロットの後のｋスロットで、前記空間関係情報構成のうちの前記１つをアクティブ化するプロセッサと、を含み、
前記ｋの値は、スロットの数を示す、
ユーザ機器（ＵＥ）。
【請求項１２】
前記１つ又は複数の空間関係情報構成のそれぞれが、前記ＰＵＣＣＨ送信に使用されるリソースを示し、
前記送信機は、前記送信機が前記ＨＡＲＱを送信する前記スロットの後の前記ｋスロットで、前記空間関係情報構成のうちの前記アクティブ化された１つによって示されるリソースに対して前記ＰＵＣＣＨ送信を行う、請求項１１に記載のユーザ機器（ＵＥ）。
【請求項１３】
前記ｋの値は、３ＧＰＰ仕様で規定された固定値である、請求項１１に記載のユーザ機器（ＵＥ）。
【請求項１４】
前記ｋの値は、前記ＲＲＣシグナリングを使用して前記ＢＳによって通知される、請求項１１に記載のユーザ機器（ＵＥ）。
【請求項１５】
前記ｋの値は、ＭＡＣ  ＣＥ及びダウンリンク制御情報（ＤＣＩ）のうちの少なくとも１つを使用して、前記ＢＳによって動的に切り替えられる、請求項１１に記載のユーザ機器（ＵＥ）。
【発明の詳細な説明】
【技術分野】
【０００１】
本明細書に開示される１つ又は複数の実施形態は、媒体アクセス制御  制御要素（ＭＡＣ  ＣＥ）アクティベーション・コマンドに基づいて無線（radio）送信及び受信を制御するユーザ機器（ＵＥ）に関する。
【背景技術】
【０００２】
新しい無線（ＮＲ：New Radio；第５世代（５Ｇ）無線アクセス技術）システムでは、ダウンリンク基準信号（ＲＳ）の候補セットは、無線リソース制御（ＲＲＣ）メカニズムを使用して構成される。例えば、上位レイヤパラメータの送信構成指標（ＴＣＩ：Transmission Configuration Indication）状態は、ＵＥにおける物理ダウンリンク制御チャネル（ＰＤＣＣＨ）受信のために使用され、且つ基地局（ＢＳ）からのＭＡＣ  ＣＥアクティベーション・コマンドによって制御される。
【０００３】
しかしながら、従来の方法では、ＰＤＣＣＨビーム指標に関するＭＡＣ  ＣＥタイミング設計、すなわち、ＵＥがＭＡＣ  ＣＥアクティベーション・コマンドに基づいてＰＤＣＣＨ受信を行う方法は決定されていなかった。さらに、物理ダウンリンク共有チャネル（ＰＤＳＣＨ）及び物理アップリンク制御チャネル（ＰＵＣＣＨ）のビーム指標に関するＭＡＣ  ＣＥタイミング設計は規定されていなかった。
【先行技術文献】
【非特許文献】
【０００４】
【非特許文献１】３ＧＰＰ，ＴＳ  ３６．２１１  Ｖ  １４．３．０
【非特許文献２】３ＧＰＰ，ＴＳ  ３６．２１３  Ｖ  １４．３．０
【発明の概要】
【０００５】
本発明の１つ又は複数の実施形態は、ユーザ機器（ＵＥ）に関し、このＵＥは、ＢＳから、ＲＲＣシグナリングを介してＰＤＣＣＨ受信のためのＴＣＩ状態と、ＰＤＳＣＨを介してＴＣＩ状態のうちの１つに関するＭＡＣ  ＣＥアクティベーション・コマンドとを受信する受信機を含む。ＵＥは、スロットで、ＭＡＣ  ＣＥアクティベーション・コマンドのハイブリッド自動再送要求（ＨＡＲＱ）をＢＳに送信する送信機と、送信機がＨＡＲＱを送信するスロットの後のｋスロットで、ＴＣＩ状態のうちの１つをアクティブ化するプロセッサとをさらに含む。ｋの値は、スロットの数を示す。
【０００６】
本発明の１つ又は複数の実施形態は、ユーザ機器（ＵＥ）に関し、このＵＥは、ＢＳから、ＲＲＣシグナリングを介してＰＤＳＣＨ受信のための複数のＴＣＩ状態と、ＰＤＳＣＨを介して複数のＴＣＩ状態のうちのアクティブ化されたＴＣＩ状態を示すＭＡＣ  ＣＥアクティベーション・コマンドとを受信する受信機を含む。ＵＥは、スロットで、ＭＡＣ  ＣＥアクティベーション・コマンドのＨＡＲＱをＢＳに送信する送信機をさらに含む。受信機は、ＰＤＳＣＨ受信のための所定のＴＣＩ状態を示すダウンリンク制御情報（ＤＣＩ）を受信する。ＵＥは、、所定のＴＣＩ状態に対応するアクティブ化された１つのＴＣＩ状態を、送信機がＨＡＲＱを送信するスロットの後のｋスロットに適用するプロセッサをさらに含む。ｋの値は、スロットの数を示す。
【０００７】
本発明の１つ又は複数の実施形態は、ユーザ機器（ＵＥ）に関し、このＵＥは、ＢＳから、ＲＲＣシグナリングを介してＰＵＣＣＨ送信のための１つ又は複数の空間関係情報構成（spatial relation information configurations）と、ＰＤＳＣＨを介して空間関係情報構成のうちの１つをアクティブ化するために使用されるＭＡＣ  ＣＥアクティベーション・コマンドとを受信する受信機を含む。ＵＥは、スロットで、ＭＡＣ  ＣＥアクティベーション・コマンドのＨＡＲＱをＢＳに送信する送信機と、送信機がＨＡＲＱを送信するスロットの後のｋスロットで、空間関係情報構成のうちの１つをアクティブ化するプロセッサとをさらに含む。ｋの値は、スロットの数を示す。
【０００８】
本発明の１つ又は複数の実施形態は、ユーザ機器（ＵＥ）を提供し、このＵＥは、ＭＡＣ  ＣＥアクティベーション・コマンドを、ＵＥがＭＡＣ  ＣＥアクティベーション・コマンドのＨＡＲＱを送信するスロットの後の「ｋ」スロットに適用することによる、ＭＡＣ  ＣＥアクティベーション・コマンドの受信に基づいて、ＰＤＣＣＨ及びＰＤＳＣＨ受信及びＰＵＣＣＨ送信を適切に行うことができる。
【０００９】
本発明の他の実施形態及び利点は、詳細な説明及び図から認識されるであろう。
【図面の簡単な説明】
【００１０】
【図１】本発明の１つ又は複数の実施形態によるワイヤレス通信システムを示す図である。
【図２】本発明の１つ又は複数の実施形態によるワイヤレス通信システムにおける例示的な動作を示すフローチャート図である。
【図３】本発明の１つ又は複数の実施形態による、ＭＡＣ  ＣＥアクティベーション・コマンドに基づく、ＵＥにおけるＰＤＣＣＨ受信のための例示的な動作を示す図である。
【図４】本発明の１つ又は複数の実施形態による、ワイヤレス通信システムにおけるＭＡＣ  ＣＥアクティベーション・コマンドに基づく、ＵＥにおけるＰＤＣＣＨ受信のための例示的な動作を示すシーケンス図である。
【図５】本発明の別の例の１つ又は複数の実施形態による、ＭＡＣ  ＣＥアクティベーション・コマンドに基づく、ＵＥにおけるＰＤＣＣＨ受信のための例示的な動作を示す図である。
【図６】本発明の１つ又は複数の実施形態による、ＭＡＣ  ＣＥアクティベーション・コマンドに基づく、ＵＥにおけるＰＤＳＣＨ受信のための例示的な動作を示す図である。
【図７】本発明の１つ又は複数の実施形態による、ワイヤレス通信システムにおけるＭＡＣ  ＣＥアクティベーション・コマンドに基づく、ＰＤＳＣＨ受信のための例示的な動作を示すシーケンス図である。
【図８】本発明の別の例の１つ又は複数の実施形態による、ＭＡＣ  ＣＥアクティベーション・コマンドに基づく、ＵＥにおけるＰＤＳＣＨ受信のための例示的な動作を示す図である。
【図９】本発明の１つ又は複数の実施形態による、ＭＡＣ  ＣＥアクティベーション・コマンドに基づく、ＵＥにおけるＰＵＣＣＨ送信のための例示的な動作を示す図である。
【図１０】本発明の１つ又は複数の実施形態による、ワイヤレス通信システムにおけるＭＡＣ  ＣＥアクティベーション・コマンドに基づく、ＰＵＣＣＨ送信のための例示的な動作を示すシーケンス図である。
【図１１】本発明の別の例の１つ又は複数の実施形態による、ＭＡＣ  ＣＥアクティベーション・コマンドに基づく、ＵＥにおけるＰＵＣＣＨ送信のための例示的な動作を示す図である。
【図１２】本発明の１つ又は複数の実施形態による基地局（ＢＳ）の概略構成を示す図である。
【図１３】本発明の１つ又は複数の実施形態によるユーザ機器（ＵＥ）の概略構成を示す図である。
【発明を実施するための形態】
【００１１】
以下、本発明の実施の形態について、図面を参照して詳細に説明する。本発明の実施形態では、本発明のより完全な理解を与えるために、多数の特定の詳細が記載される。しかしながら、本発明がこれらの特定の詳細なしに実施し得ることは、当業者には明らかであろう。他の例では、本発明を不明瞭にしないために、よく知られている特徴は詳細には説明していない。
【００１２】
図１は、本発明の１つ又は複数の実施形態によるワイヤレス通信システム１を示す図である。ワイヤレス通信システム１は、新しい無線（ＮＲ）システムであってもよい。
【００１３】
ワイヤレス通信システム１は、ユーザ機器（ＵＥ）１０、ｇＮｏｄｅＢ（ｇＮＢ）２０、及びコアネットワーク３０を含む。ワイヤレス通信システム１は、本明細書で説明する特定の構成に限定されず、ＬＴＥ／ＬＴＥ−Ａｄｖａｎｃｅｄ（ＬＴＥ−Ａ）システム等の任意のタイプのワイヤレス通信システムであってもよい。ワイヤレス通信システム１は、ＭＡＣ  ＣＥアクティベーション・コマンドに基づいて、ＰＤＣＣＨ、ＰＤＳＣＨ、及びＰＵＣＣＨのビーム指標に関する動作を制御することができる。
【００１４】
ｇＮＢ２０は、ＵＥ１０と通信する局（station）であり得、基地局（ＢＳ）、送信及び受信ポイント（ＴＲＰ）、及びアクセスポイント等とも呼ばれ得る。ｇＮＢ２０は、セルと呼ばれ得る特定の地理的エリアに通信カバレッジを提供することができる。
【００１５】
ｇＮＢ２０は、アンテナ、隣接するｇＮＢ２０と通信するための通信インターフェイス（例えば、Ｘ２インターフェイス）、コアネットワーク３０と通信するための通信インターフェイス（例えば、Ｓ１インターフェイス）、及びＵＥ１０との間の送信信号及び受信信号を処理するためのプロセッサ又は回路等のＣＰＵ（中央処理ユニット）を含む。ｇＮＢ２０の動作は、メモリに記憶されたデータ及びプログラムを処理又は実行するプロセッサによって実施され得る。しかしながら、ｇＮＢ２０は、上述したハードウェア構成に限定されず、当業者によって理解されるような他の適切なハードウェア構成によって実現してもよい。ワイヤレス通信システム１のより広いサービスエリアをカバーするように、多数のｇＮＢ２０が配置され得る。
【００１６】
ＵＥ１０は、ワイヤレス通信システム１全体に分散してもよく、各ＵＥ１０は、固定式又は移動式であってもよい。ＵＥ１０は、端末、移動局、加入者ユニット、又は局と呼ばれ得る。ＵＥ１０は、携帯電話、スマートフォン、タブレット、センサ、携帯情報端末（ＰＤＡ）、無線モデム、ネットブック、スマートブック、ワイヤレス通信装置、ハンドヘルド装置、ラップトップコンピュータ、コードレス電話、ワイヤレスローカルループ（ＷＬＬ）ステーション、又はウェアラブル装置等の無線通信機能を有する情報処理機器であってよい。ＵＥ１０は、ｇＮＢ２０と通信することができる。
【００１７】
ＵＥ１０は、プロセッサ等のＣＰＵ、ＲＡＭ（ランダムアクセスメモリ）、フラッシュメモリ、及びｇＮＢ２０とＵＥ１０との間で無線信号を送受信するための無線通信装置を含む。例えば、以下に説明するＵＥ１０の動作は、ＣＰＵがメモリに記憶されたデータ及びプログラムを処理又は実行することによって実施され得る。ただし、ＵＥ１０は、上記のハードウェア構成に限定されず、例えば、以下に説明する処理を実現するための回路で構成してもよい。
【００１８】
ワイヤレス通信システム１では、アップリンク（ＵＬ）通信は、ＵＥ１０からｇＮＢ２０への通信を示し得る。ダウンリンク（ＤＬ）通信は、ｇＮＢ２０からＵＥ１０への通信を示し得る。各ｇＮＢ２０は、ＵＥとの通信に使用される少なくとも無線周波数送信機及び少なくとも受信機を含み、これらは、ＵＥの周りを自由に移動できる。同様に、各ＵＥ１０は、ｇＮＢ２０と通信するために使用される少なくとも無線周波数送信機及び少なくとも受信機を含む。
【００１９】
本発明の１つ又は複数の実施形態では、関連するベースバンド信号処理とともに、ワイヤレス通信システム１における送信ポイント（例えば、ｇＮＢ２０又はＵＥ１０）と受信ポイント（例えば、ＵＥ１０又はｇＮＢ２０）との両方でのマルチアンテナの使用は、マルチ入力マルチ出力（ＭＩＭＯ）テクノロジーと呼ばれ得る。ＭＵ−ＭＩＭＯシステムでは、他の受信ポイントへの送信によって各受信ポイントが受ける相互干渉を抑制するために、送信ポイントでプリコーディングが適用される。ＭＵ−ＭＩＭＯプリコーディングは、伝搬チャネルに基づく送信信号の空間エンコーディングである。ＭＵ−ＭＩＭＯプリコーディングを適用するには、送信ポイントは、送信ポイントを各受信ポイントに接続して送信する無線チャネルのチャネル状態情報（ＣＳＩ）を知っている必要がある。ワイヤレス通信システム１では、受信ポイント（例えば、ＵＥ１０）は、ＣＳＩを測定し、測定したＣＳＩを、ＵＬフィードバックチャネルを介して送信ポイント（例えば、ｇＮＢ２０）に報告することができる。ＣＳＩ報告は、ＣＳＩフィードバックと呼ばれ得る。ＣＳＩフィードバックには、ＣＳＩ基準信号（ＣＳＩ−ＲＳ）インジケータ（ＣＲＩ）、基準信号受信電力（ＲＳＲＰ）値、ランクインジケータ（ＲＩ）、プリコーディングマトリックスインジケータ（ＰＭＩ）、ＤＬコンポーネントチャネル（ＣＣ）毎のチャネル品質インジケータ（ＣＱＩ）のうちの少なくとも１つが含まれる。
【００２０】
本発明の１つ又は複数の実施形態では、いくつかのタイプの物理チャネルが、ワイヤレス通信システム１におけるＤＬ送信のために使用される。物理チャネルは、５Ｇスタックにおけるより高いレイヤからの情報を伝達し得る。物理信号とは対照的に、物理チャネルは、物理（ＰＨＹ）レイヤ内で専ら使用される情報を伝達し得る。例えば、ＤＬ物理チャネルは、ＰＤＳＣＨ、物理ブロードキャストチャネル（ＰＢＣＨ）、物理マルチキャストチャネル（ＰＭＣＨ）、物理制御フォーマットインジケータチャネル（ＰＣＦＩＣＨ）、ＰＤＣＣＨ、及び物理ハイブリッドＡＲＱインジケータチャネル（ＰＨＩＣＨ）であり得る。例えば、ＵＬ物理チャネルは、物理アップリンク共有チャネル（ＰＵＳＣＨ）及びＰＵＣＣＨであり得る。
【００２１】
本発明の１つ又は複数の実施形態では、ワイヤレス通信システム１は、周波数分割複信（ＦＤＤ）モード及び時分割複信（ＴＤＤ）モードのうちの少なくとも１つを利用することができる。ＦＤＤモードでは、ＤＬチャネル及びＵＬチャネルは、それぞれ異なる周波数チャネルに割り当てられてもよく、ＤＬ送信及びＵＬ送信は、２つの周波数チャネル上で同時に実行され得る。ＴＤＤモードでは、ＤＬチャネル及びＵＬチャネルは、同じ周波数チャネルを共有し、ＤＬ送信及びＵＬ送信は、異なる期間に同じ周波数チャネルで送信され得る。
【００２２】
ＦＤＤモードとＴＤＤモードとの両方について、ＤＬに使用されるサブフレームは、ＤＬサブフレームと呼ばれ得る。ＵＬに使用されるサブフレームは、ＵＬサブフレームと呼ばれ得る。ＦＤＤモード用に構成されたＣＣは、ＦＤＤ  ＣＣと呼ばれ得る。ＴＤＤ用に構成されたＣＣは、ＴＤＤ  ＣＣと呼ばれ得る。サブフレームはスロットと呼ばれ得る。
【００２３】
ＦＤＤモードとＴＤＤモードとの両方について、物理ダウンリンク制御チャネル（ＰＤＣＣＨ）及び他の物理チャネルのうちの少なくとも１つは、セル内のＤＬサブフレームの制御領域で送信され得る。ＰＤＣＣＨは、ＤＬ許可、ＵＬ許可等のＤＬ制御情報（ＤＣＩ）を伝達することができる。セルはまた、物理ダウンリンク共有チャネル（ＰＤＳＣＨ）及び／又は他の物理チャネルをＤＬサブフレームのデータ領域で送信することができる。ＰＤＳＣＨは、ＤＬ上でのデータ送信のためにスケジュールされたＵＥのためのデータを伝達することができる。
【００２４】
ＦＤＤモードとＴＤＤモードとの両方について、ＵＥ１０は、ＵＬサブフレームの制御領域内のＰＵＣＣＨ又はＵＬサブフレームのデータ領域内のＰＵＳＣＨのいずれかを送信し得る。例えば、ＰＵＣＣＨは、ＤＬのチャネル状態を示すチャネル状態情報（ＣＳＩ）及びスケジューリング要求を伝達することができる。ＰＵＳＣＨは、ユーザデータ及びＣＳＩのうちの少なくとも１つを伝達することができる。
【００２５】
ワイヤレス通信システム１は、キャリアアグリゲーション（ＣＡ）又はマルチキャリア動作と呼ばれ得る複数のＣＣを用いた動作をサポートすることができる。ＵＥ１０は、キャリアアグリゲーションのために、ＤＬのための複数のＣＣ及びＵＬのための１つ又は複数のＣＣで構成され得る。ｇＮＢ２０は、１つ又は複数のＣＣ上でデータ及びダウンリンク制御情報（ＤＣＩ）をＵＥ１０に送信することができる。ＵＥ１０は、１つ又は複数のＣＣ上でデータ及びＣＳＩをｇＮＢ２０に送信することができる。
【００２６】
図２は、本発明の１つ又は複数の実施形態によるワイヤレス通信システム１における例示的な動作を示すフローチャート図である。図２に示されるように、ステップＳ１１において、ｇＮＢ２０は、ＰＤＳＣＨによって提供されたＭＡＣ  ＣＥアクティベーション・コマンドをＵＥ１０に送信する。ステップＳ１２において、ＵＥ１０は、ＭＡＣ  ＣＥアクティベーション・コマンドのハイブリッドＡＲＱ（ＨＡＲＱ）をｇＮＢに送信する。ステップＳ１３において、ＵＥ１０は、ＰＤＣＣＨのためのＭＡＣ  ＣＥアクティベーション・コマンドを、ＨＡＲＱの送信後の所定のスロットに適用する。その結果、ＵＥ１０は、ＰＤＣＣＨ受信、ＰＤＳＣＨ受信、又はＰＵＣＣＨ送信と、ＰＤＣＣＨ、ＰＤＳＣＨ、又はＰＵＣＣＨビーム指標とを行う。本発明の１つ又は複数の実施形態による対応するアクションは、ＭＡＣ  ＣＥアクティベーション・コマンドに基づいて適用することができる。
【００２７】
従来の規格では、ＵＥ１０がＭＡＣ  ＣＥアクティベーション・コマンドを受信するときに、ＵＥ１０が対応するアクションをどのように及びいつ適用するべく行うかが規定されていなかった。本発明の１つ又は複数の実施形態は、ＭＡＣ  ＣＥアクティベーション・コマンドの受信に基づいて、対応するアクションを行う手順を明確にする方法を提供する。さらに、本発明の１つ又は複数の実施形態は、ＭＡＣ  ＣＥアクティベーション・コマンドがいつＵＥ１０に適用されるかの時間をｇＮＢ２０に知らせる。本発明の実施形態によるＰＤＣＣＨ、ＰＤＳＣＨ、及びＰＵＣＣＨビーム指標に関するＭＡＣ  ＣＥタイミング設計について、以下に説明する。
【００２８】
（ＰＤＣＣＨビーム指標に関するＭＡＣ  ＣＥタイミング設計）
図３は、本発明の１つ又は複数の実施形態による、ＭＡＣ  ＣＥアクティベーション・コマンドに基づく、ＵＥ１０におけるＰＤＣＣＨ受信のための例示的な動作を示す図である。図３において、横軸は時間領域を表す。図３の時間領域は、スロットと呼ばれ得る。サブフレームは１つ又は複数のスロットで構成される。例えば、１つのサブキャリアが１５ｋＨｚの場合に、１つのサブフレームは１つのスロットであり、スロット長は１ミリ秒である。１つのサブキャリアが３０ｋＨｚの場合に、１つのサブフレームは２つのスロットで構成される。１つのサブキャリアが６０ｋＨｚの場合に、１つのサブフレームは４つのスロットで構成される。１つのサブキャリアが１２０ｋＨｚの場合に、１つのサブフレームは８つのスロットで構成される。スロット「ｎ」はスロット番号を表す。
【００２９】
図３に示されるように、ｇＮＢ２０は、無線リソース制御（ＲＲＣ）シグナリングを使用して、ＵＥ１０におけるＰＤＣＣＨ受信のための１つ又は複数のＴＣＩ状態をＵＥ１０に送信する。図３の例では、ＴＣＩ状態は、８つのＴＣＩ状態＃１〜＃８であり得る。ＴＣＩ状態は、ＲＲＣシグナリングによってＵＥ１０に対して構成される。この例では、ＴＣＩ状態は、ＰＤＣＣＨ受信に使用されるビームを示す。ＰＤＣＣＨ受信に使用されるビームは、ＰＤＣＣＨリソースと呼ばれ得る。
【００３０】
さらに、ＰＤＣＣＨ受信のためのＴＣＩ状態は、１つ又は複数のＤＬ  ＲＳ（例えば、ＣＳＩ−ＲＳ）とＰＤＣＣＨの所定の信号（例えば、復調基準信号（ＤＭーＲＳ）及び同期信号（ＳＳ））のポートとの間の準（quasi）コロケーション（ＱＣＬ）関係を示す。ＴＣＩ状態は、１つ又は複数のＤＬ  ＲＳを対応するＱＣＬタイプに関連付ける。ＱＣＬタイプは、ＱＣＬタイプＡ、Ｂ、Ｃ、及びＤ等の４つの異なるタイプのＱＣＬを有する。本発明の１つ又は複数の実施形態では、対応するＱＣＬタイプは、ＤＬビーム指標を示す空間Ｒｘパラメータを含むＱＣＬタイプＤであり得る。
【００３１】
次に、ｇＮＢ２０は、ＰＤＳＣＨを使用して、ＴＣＩ状態のうちの１つに関するＭＡＣ  ＣＥアクティベーション・コマンドをＵＥ１０に送信する。図３の例では、ＭＡＣ  ＣＥアクティベーション・コマンドに基づいてアクティブ化されるＴＣＩ状態のうちの１つは、ＴＣＩ状態＃２であり得る。
【００３２】
ＵＥ１０がＭＡＣ  ＣＥアクティベーション・コマンドを受信すると、ＵＥ１０は、スロット「ｎ」で、ＭＡＣ  ＣＥアクティベーション・コマンドのＨＡＲＱをｇＮＢ２０に送信する。ＨＡＲＱはＨＡＲＱ−Ａｃｋと呼ばれ得る。スロット「ｎ」はスロット番号を表す。
【００３３】
本発明の１つ又は複数の実施形態によれば、ＵＥ１０は、ＭＡＣ  ＣＥアクティベーション・コマンドの受信に基づいて、１つのＴＣＩ状態（例えば、ＴＣＩ状態＃２）に関するＭＡＣ  ＣＥアクティベーション・コマンドをスロット「ｎ＋ｋ」で適用することができる。値「ｋ」はスロットの数である。スロット「ｎ＋ｋ」はスロット番号を表す。
【００３４】
こうして、ＵＥ１０は、ＭＡＣ  ＣＥアクティベーション・コマンドを、ＵＥ１０が（ＨＡＲＱ−Ａｃｋである）ＨＡＲＱを送信するスロット「ｎ」の後の「ｋ」スロットに適用し、スロット「ｎ＋ｋ」内のアクティブ化されたＴＣＩ状態を使用してＰＤＣＣＨを受信することができる。ＭＡＣ  ＣＥアクティベーション・コマンドをスロット「ｎ＋ｋ」で適用することは、ＵＥ１０での対応するアクションの例であり得る。一方、ＵＥ１０がＭＡＣ  ＣＥアクティベーション・コマンドのＨＡＲＱ−Ｎａｃｋを生成して送信すると、ＵＥ１０は、ＭＡＣ  ＣＥアクティベーション・コマンドを、ＵＥ１０がＨＡＲＱ−Ｎａｃｋを送信するスロット「ｎ」の後の「ｋ」スロットに適用しない。
【００３５】
本発明の１つ又は複数の実施形態では、例えば、値「ｋ」は、３ＧＰＰ仕様で規定された所定の固定値であってよい。別の例として、値「ｋ」は、ＲＲＣシグナリングによって構成してもよい。すなわち、ｇＮＢ２０は、ＲＲＣシグナリングを使用して、値「ｋ」をＵＥ１０に通知することができる。別の例として、「ｋ」は、ＭＡＣ  ＣＥ及びダウンリンク制御情報（ＤＣＩ）のうちの少なくとも１つを使用して動的に切り替えることができる。
【００３６】
その結果、ＵＥ１０は、ＵＥ１０がＨＡＲＱを送信するスロットの後のｋスロットにおいて、ＴＣＩ状態のうちのアクティブ化された１つによって示されるビームに対してＰＤＣＣＨ受信を行うことができる。
【００３７】
こうして、本発明の１つ又は複数の実施形態は、ＭＡＣ  ＣＥアクティベーション・コマンドを、ＵＥ１０がＨＡＲＱを送信するスロット「ｎ」の後のｋスロットに適用することにより、ＵＥ１０がＰＤＣＣＨ受信のためのＴＣＩ状態のうちの１つに関するＭＡＣ  ＣＥアクティベーション・コマンドを受信すると、ＰＤＣＣＨを適切に受信するＵＥ１０を提供することができる。
【００３８】
図４は、本発明の１つ又は複数の実施形態による、ワイヤレス通信システム１における例示的な動作を示すシーケンス図である。
【００３９】
図４に示されるように、ステップＳ１０１において、ｇＮＢ２０は、ＲＲＣシグナリングを介して、ＰＤＣＣＨ受信のためのＴＣＩ状態をＵＥ１０に送信する。
【００４０】
次に、ステップＳ１０２において、ｇＮＢ２０は、ＰＤＳＣＨを使用して、ＰＤＣＣＨ受信のためのＴＣＩ状態のうちの１つに関するＭＡＣ  ＣＥアクティベーション・コマンドをＵＥ１０に送信する。
【００４１】
ステップＳ１０３において、ＵＥ１０は、受信したＭＡＣ  ＣＥアクティベーション・コマンドのＨＡＲＱをスロット「ｎ」で送信し、ＭＡＣ  ＣＥアクティベーション・コマンドをスロット「ｎ＋ｋ」で適用する。
【００４２】
ステップＳ１０４において、ｇＮＢ２０がＵＥ１０からＨＡＲＱを受信すると、ｇＮＢ２０はスロット「ｎ＋ｋ」でＰＤＣＣＨをＵＥ１０に送信する。ＵＥ１０は、スロット「ｎ＋ｋ」内のＭＡＣ  ＣＥアクティベーション・コマンドに基づいて、ＰＤＣＣＨを受信する。
【００４３】
ＭＡＣ  ＣＥアクティベーション・コマンドの受信に基づくＰＤＣＣＨ受信の別の例として、変更可能な（ambulatory）タイムラインが考慮され得る。図５に示されるように、ＵＥ１０がＴＣＩ状態のうちの１つに関するＭＡＣ  ＣＥアクティベーション・コマンドを受信すると、ＰＤＣＣＨ受信のためのＴＣＩ状態及び対応するアクションが、遅くとも最小要件までに及び／又はスロット「ｎ＋Ｘ」以降にＵＥ１０に適用される。スロット「ｎ」は、ＵＥ１０がＭＡＣ  ＣＥアクティベーション・コマンドを受信するスロットである。スロット「ｎ＋Ｘ」はスロット番号を表す。例えば、値「Ｘ」は、３ＧＰＰ仕様で規定された所定の固定値であってもよい。別の例として、「Ｘ」は、ＲＲＣシグナリングによって構成してもよい。別の例として、「Ｘ」は、ＭＡＣ  ＣＥ及びＤＣＩのうちの少なくとも１つを使用して動的に切り替えることができる。
【００４４】
ＭＡＣ  ＣＥアクティベーション・コマンドの受信に基づくＰＤＣＣＨ受信の別の例として、図３の値「ｋ」は、２ｋ’であり得、ここで、ｋ’は、３ＧＰＰ  ＴＳ  ３８．２１３セクション９．２．３で規定されたＰＤＳＣＨ  ＨＡＲＱ受信のスロット番号である。
【００４５】
（ＰＤＳＣＨビーム指標に関するＭＡＣ  ＣＥタイミング設計）
図６は、本発明の１つ又は複数の実施形態による、ＭＡＣ  ＣＥアクティベーション・コマンドに基づく、ＵＥ１０におけるＰＤＳＣＨ受信のための例示的な動作を示す図である。
【００４６】
図６に示されるように、ｇＮＢ２０は、ＲＲＣシグナリングを使用して、複数のＴＣＩ状態をＵＥ１０に送信する。例えば、３２個のＴＣＩ状態を、ＲＲＣシグナリングによってＵＥ１０に対して構成してもよい。この例では、ＴＣＩ状態は、ＰＤＳＣＨ受信に使用されるビームを示す。ＰＤＳＣＨ受信に使用されるビームは、リソース又はＰＤＳＣＨリソースと呼ばれ得る。
【００４７】
さらに、ＴＣＩ状態は、１つ又は複数のＤＬ  ＲＳ（例えば、ＣＳＩ−ＲＳ）と、ＰＤＳＣＨの所定の信号（例えば、ＤＭーＲＳ及びＳＳ）のポートとの間のＱＣＬ関係を示す。ＴＣＩ状態は、１つ又は複数のＤＬ  ＲＳを、空間Ｒｘパラメータを含むＱＣＬタイプＤ等の対応するＱＣＬタイプに関連付ける。
【００４８】
次に、ｇＮＢ２０は、ＭＡＣ  ＣＥアクティベーション・コマンドをＵＥ１０に送信する。ＭＡＣ  ＣＥアクティベーション・コマンドは、ＰＤＳＣＨのために構成されたＴＣＩ状態のうちのアクティブ化されるＴＣＩ状態を示す。アクティブ化されるＴＣＩの最大数は８である。
【００４９】
ＵＥ１０がＭＡＣ  ＣＥアクティベーション・コマンドを受信すると、ＵＥ１０は、スロット「ｎ」で、ＭＡＣ  ＣＥアクティベーション・コマンドのＨＡＲＱをｇＮＢ２０に送信する。値「ｎ」はスロット番号である。
【００５０】
ｇＮＢ２０は、スケジュールされたＰＤＳＣＨのためのアクティブ化された（所定の）ＴＣＩ状態を示すＤＣＩフィールド「送信構成指標（ＴＣＩ：Transmission Configuration Indication）」を含むＤＣＩをＵＥ１０に送信する。スケジュールされたＰＤＳＣＨ状態のアクティブ化されたＴＣＩ状態は、ＤＣＩフィールドのコードポイントにマッピングされ得る。一方、非アクティブ化されたＴＣＩ状態は、ＤＣＩフィールドのコードポイントにマップされない場合がある。
【００５１】
ＵＥ１０は、ＭＡＣ  ＣＥアクティベーション・コマンドに示されるアクティブ化されたＴＣＩ状態のそれぞれのマッピングを、ＵＥ１０がＨＡＲＱを送信するスロット「ｎ」の後の「ｋ」スロットにおけるＤＣＩフィールド「送信構成指標」コードポイントに適用し得る。値「ｋ」はスロットの数である。こうして、ＵＥ１０は、ＤＣＩに示されるアクティブ化された（所定の）ＴＣＩに対応するアクティブ化されたＴＣＩ状態のうちの１つを、ＵＥ１０がＨＡＲＱを送信するスロット「ｎ」の後の「ｋ」スロットに適用することができる。
【００５２】
その結果、ＵＥ１０は、アクティベーション・ステータスとして設定された少なくとも１つのアクティブ化されたＴＣＩ状態によって示されるビームに対してＰＤＳＣＨ受信を行う。
【００５３】
本発明の１つ又は複数の実施形態では、例えば、「ｋ」は、３ＧＰＰ仕様で規定された所定の固定値であってよい。別の例として、「ｋ」は、ＲＲＣシグナリングによって構成してもよい。すなわち、ｇＮＢ２０は、ＲＲＣシグナリングを使用して、「ｋ」をＵＥ１０に通知することができる。別の例として、「ｋ」は、ＭＡＣ  ＣＥ及びＤＣＩのうちの少なくとも１つを使用して動的に切り替えることができる。
【００５４】
図７は、本発明の１つ又は複数の実施形態による、ワイヤレス通信システム１における例示的な動作を示すシーケンス図である。
【００５５】
図７に示されるように、ステップＳ２０１において、ｇＮＢ２０は、ＲＲＣシグナリングを介して、ＰＤＳＣＨ受信のための１つ又は複数のＴＣＩ状態をＵＥ１０に送信する。
【００５６】
次に、ステップＳ２０２において、ｇＮＢ２０は、ＰＤＳＣＨのための１つ又は複数のＴＣＩ状態（すなわち、ビーム）をアクティブ化するために使用されるＭＡＣ  ＣＥアクティベーション・コマンドをＵＥ１０に送信する。
【００５７】
ステップＳ２０３において、ＵＥ１０は、受信したＭＡＣ  ＣＥアクティベーション・コマンドのＨＡＲＱをスロットｎで送信する。
【００５８】
ステップＳ２０４において、ｇＮＢ２０は、ＤＣＩフィールド「送信構成指標」を含むＤＣＩをＵＥ１０に送信する。
【００５９】
ステップＳ２０４において、ＵＥ１０は、ＤＣＩフィールド「送信構成指標」を含むＤＣＩをＵＥ１０に送信する。ＤＣＩは、ＰＤＳＣＨ受信のためのスケジュールされたＰＤＳＣＨに使用されるアクティブ化されるＴＣＩ状態を示す。
【００６０】
ステップＳ２０５において、ＵＥ１０は、ＭＡＣ  ＣＥアクティベーション・コマンドを、ＵＥ１０がＨＡＲＱを送信するスロット「ｎ」の後の「ｋ」スロットに適用する。ＵＥ１０は、アクティベーション・ステータスとして設定されたＭＡＣ  ＣＥアクティベーション・コマンドに基づいて、アクティブ化されたＴＣＩ状態に対応するＰＤＳＣＨビームのＰＤＳＣＨ受信を行う。
【００６１】
ＭＡＣ  ＣＥアクティベーション・コマンドの受信に基づくＰＤＣＣＨ受信の別の例として、変更可能なタイムラインが考慮され得る。図８に示されるように、ＵＥ１０がＴＣＩ状態のうちの１つに関するＭＡＣ  ＣＥアクティベーション・コマンドを受信すると、ＰＤＳＣＨのＴＣＩ状態に対する対応するアクションが、遅くとも最小要件までに及び／又はスロット「ｎ＋Ｘ」以降にＵＥ１０に適用され得る。スロット「ｎ」は、ＵＥ１０がＰＤＳＣＨを介してＭＡＣ  ＣＥアクティベーション・コマンドを受信するスロットである。スロット「ｎ＋Ｘ」はスロット番号を表す。例えば、値「Ｘ」は、３ＧＰＰ仕様で規定された所定の固定値であってもよい。別の例として、「Ｘ」は、ＲＲＣシグナリングによって構成してもよい。別の例として、「Ｘ」は、ＭＡＣ  ＣＥ及びＤＣＩのうちの少なくとも１つを使用して動的に切り替えることができる。
【００６２】
ＭＡＣ  ＣＥアクティベーション・コマンドの受信に基づくＰＤＣＣＨ受信の別の例として、図３の値「ｋ」は、２ｋ’であり得、ここで、ｋ’は、３ＧＰＰ  ＴＳ  ３８．２１３セクション９．２．３で規定されたＰＤＳＣＨ  ＨＡＲＱ受信のスロット番号である。
【００６３】
（ＰＵＣＣＨビーム指標に関するＭＡＣ  ＣＥタイミング設計）
図９は、本発明の１つ又は複数の実施形態による、ＭＡＣ  ＣＥアクティベーション・コマンドに基づく、ＵＥ１０におけるＰＵＣＣＨ送信の例示的な動作を示す図である。
【００６４】
図９に示されるように、ｇＮＢ２０は、ＲＲＣシグナリングを使用して、ＰＵＣＣＨ送信のための１つ又は複数の空間関係情報構成をＵＥ１０に通知する。空間関係情報構成は、ＰＵＣＣＨ−ＳｐａｔｉａｌＲｅｌａｔｉｏｎＩｎｆｏｌｄの値であり、ＰＵＣＣＨ送信のビームを示し得る。ＰＵＣＣＨ送信のためのビームは、ＰＵＣＣＨリソースと呼ばれ得る。
【００６５】
次に、ｇＮＢ２０は、ＰＤＳＣＨを使用して、ＰＵＣＣＨのための空間関係情報構成のうちの１つをアクティブ化するために用いられるＭＡＣ  ＣＥアクティベーション・コマンドをＵＥ１０に送信する。ＭＡＣ  ＣＥアクティベーション・コマンドは、ＰＵＣＣＨ−ＳｐａｔｉａｌＲｅｌａｔｉｏｎＩｎｆｏｌｄの値を示し得る。
【００６６】
ＵＥ１０がＭＡＣ  ＣＥアクティベーション・コマンドを受信すると、ＵＥ１０は、スロット「ｎ」で、ＭＡＣ  ＣＥアクティベーション・コマンドのＨＡＲＱをｇＮＢ２０に送信する。値「ｎ」はスロット番号である。
【００６７】
本発明の１つ又は複数の実施形態によれば、ＵＥ１０は、ＭＡＣ  ＣＥアクティベーション・コマンドの受信に基づいて、ＰＵＣＣＨのための空間関係情報構成のうちの１つに関するＭＡＣ  ＣＥアクティベーション・コマンドをスロット「ｎ＋ｋ」で適用することができる。すなわち、ＵＥ１０は、スロット「ｎ＋ｋ」でＰＵＣＣＨリソースに使用されるビームを知っているものとする。値「ｋ」はスロットの数である。スロット「ｎ＋ｋ」はスロット番号を表す。
【００６８】
こうして、ＵＥ１０は、ＭＡＣ  ＣＥアクティベーション・コマンドを適用し、ＵＥ１０がＨＡＲＱを送信するスロット「ｎ」の後の「ｋ」スロットにおいて空間関係情報構成のうちの１つをアクティブ化することができる。ＵＥ１０は、空間関係情報構成のうちのアクティブ化された１つによって示されるビームに対してＰＵＣＣＨ送信を行う。
【００６９】
本発明の１つ又は複数の実施形態では、例えば、「ｋ」は、３ＧＰＰ仕様で規定された所定の固定値であってよい。別の例として、「ｋ」は、ＲＲＣシグナリングによって構成してもよい。すなわち、ｇＮＢ２０は、ＲＲＣシグナリングを使用して、「ｋ」をＵＥ１０に通知することができる。別の例として、「ｋ」は、ＭＡＣ  ＣＥ及びＤＣＩのうちの少なくとも１つを使用して動的に切り替えることができる。
【００７０】
図１０は、本発明の１つ又は複数の実施形態による、ワイヤレス通信システム１におけるＭＡＣ  ＣＥアクティベーション・コマンドに基づく、ＰＵＣＣＨ送信の例示的な動作を示すシーケンス図である。
【００７１】
図１０に示されるように、ステップＳ３０１において、ｇＮＢ２０は、ＲＲＣシグナリングを介して、ＰＵＣＣＨリソースのための１つ又は複数の空間関係情報構成をＵＥ１０に送信する。
【００７２】
次に、ステップＳ３０２において、ｇＮＢ２０は、ＰＤＳＣＨを使用して、ＰＵＣＣＨリソースのための空間関係情報構成のうちの１つをアクティブ化するために使用されるＭＡＣ  ＣＥアクティベーション・コマンドをＵＥ１０に送信する。
【００７３】
ステップＳ３０３において、ＵＥ１０は、受信したＭＡＣ  ＣＥアクティベーション・コマンドのＨＡＲＱをスロット「ｎ」で送信し、ＭＡＣ  ＣＥアクティベーション・コマンドをスロット「ｎ＋ｋ」で適用する。
【００７４】
ステップＳ３０４において、ＵＥ１０は、スロット「ｎ＋ｋ」でＰＵＣＣＨリソースに使用されるビームを知っているものとする。ＵＥ１０は、ＰＵＣＣＨリソースに使用されるビームを用いてＰＵＣＣＨを送信し得る。
【００７５】
ＭＡＣ  ＣＥアクティベーション・コマンドの受信に基づくＰＵＣＣＨ送信の別の例として、変更可能なタイムラインが考慮され得る。図１１に示されるように、ＵＥ１０がＰＵＣＣＨのための空間関係情報構成のうちの１つに関するＭＡＣ  ＣＥアクティベーション・コマンドを受信すると、対応するアクションが、遅くとも最小要件までに及び／又はスロット「ｎ＋Ｘ」以降にＵＥ１０に適用され得る。スロット「ｎ」は、ＵＥ１０がＰＤＳＣＨを介してＭＡＣ  ＣＥアクティベーション・コマンドを受信するスロットである。スロット「ｎ＋Ｘ」はスロット番号を表す。例えば、値「Ｘ」は、３ＧＰＰ仕様で規定された所定の固定値であってもよい。別の例として、「Ｘ」は、ＲＲＣシグナリングによって構成してもよい。別の例として、「Ｘ」は、ＭＡＣ  ＣＥ及びＤＣＩのうちの少なくとも１つを使用して動的に切り替えることができる。
【００７６】
ＭＡＣ  ＣＥアクティベーション・コマンドの受信に基づくＰＵＣＣＨ送信の別の例として、図３の値「ｋ」は、２ｋ’であり得、ここで、ｋ’は、３ＧＰＰ  ＴＳ  ３８．２１３セクション９．２．３で規定されたＰＤＳＣＨ  ＨＡＲＱ受信のスロット番号である。
【００７７】
本発明の１つ又は複数の実施形態は、ビーム指標に関するＭＡＣ  ＣＥコンテンツを設計することができる。本発明の１つ又は複数の実施形態によれば、３ＧＰＰ  ＴＳ  ３６．３２１セクション６．１．３．１４で規定された非周期的ＣＳＩ−ＲＳに関するＭＡＣ  ＣＥ設計と同様のビットマップ方法を適用してもよい。ＭＡＣ  ＣＥ設計では、Ｎビットが、Ｎ個のＴＣＩ状態／空間関係情報構成に使用される。別の例として、ＴＣＩ状態／空間関係情報構成のアクティブ化／非アクティブ化の圧縮ＭＡＣ  ＣＥシグナリング設計を適用してもよい。
【００７８】
本発明の１つ又は複数の実施形態は、ＭＡＣ  ＣＥアクティベーション・コマンドがいつＵＥ１０に適用されるかを明確にすることにより、ＭＡＣ  ＣＥアクティベーション・コマンドの受信後のＵＥ１０及びｇＮＢ２０の曖昧なタイムラインを回避することができる。
【００７９】
本発明の１つ又は複数の実施形態は、システム動作を保証し、信頼性の高いサービスを提供するために、ＭＩＭＯ技術を使用してビーム指標手順を完了するＰＵＣＣＨ／ＰＤＣＣＨ／ＰＤＳＣＨビーム指標のタイミング設計に使用することができる。
【００８０】
（基地局の構成）
【００８１】
図１２を参照して、本発明の１つ又は複数の実施形態によるＢＳ２０について以下に説明する。図１２は、本発明の１つ又は複数の実施形態によるＢＳ２０の概略構成を示す図である。ＢＳ２０は、複数のアンテナ（アンテナ素子グループ）２０１、増幅器２０２、トランシーバ（送信機／受信機）２０３、ベースバンド信号プロセッサ２０４、呼（call）プロセッサ２０５、及び伝送路インターフェイス２０６を含み得る。
【００８２】
ＤＬ上でＢＳ２０からＵＥ２０に送信されるユーザデータは、コアネットワーク３０から、伝送路インターフェイス２０６を介して、ベースバンド信号プロセッサ２０４に入力される。
【００８３】
ベースバンド信号プロセッサ２０４では、信号は、パケットデータコンバージェンスプロトコル（ＰＤＣＰ）レイヤ処理、ユーザデータの分割及び結合等の無線リンク制御（ＲＬＣ）レイヤ伝送処理、及びＲＬＣ再送制御伝送処理、（例えば、ＨＡＲＱ送信処理、スケジューリング、トランスポートフォーマット選択、チャネルコーディング、逆高速フーリエ変換（ＩＦＦＴ）処理、プリコーディング処理等の）ＭＡＣ再送制御を受ける。次に、得られた信号は各トランシーバ２０３に転送される。ＤＬ制御チャネルの信号に関して、チャネルコーディング及び逆高速フーリエ変換等の送信処理が実行され、得られた信号は、各トランシーバ２０３に送信される。
【００８４】
ベースバンド信号プロセッサ２０４は、上位レイヤシグナリング（例えば、ＲＲＣシグナリング及びブロードキャストチャネル）により、セル内の通信に関する制御情報（システム情報）を各ＵＥ１０に通知する。セル内の通信に関する情報には、例えば、ＵＬ又はＤＬシステム帯域幅が含まれる。
【００８５】
各トランシーバ２０３において、アンテナ毎にプリコーディングされ、且つベースバンド信号プロセッサ２０４から出力されるベースバンド信号は、無線周波数帯域への周波数変換処理を受ける。増幅器２０２は、周波数変換された無線周波信号を増幅し、得られた信号は、アンテナ２０１から送信される。
【００８６】
ＵＬ上でＵＥ１０からＢＳ２０に送信されるデータに関して、無線周波数信号は、各アンテナ２０１で受信され、増幅器２０２で増幅され、周波数変換され、トランシーバ２０３でベースバンド信号に変換され、且つベースバンド信号プロセッサ２０４に入力される。
【００８７】
ベースバンド信号プロセッサ２０４は、受信したベースバンド信号に含まれるユーザデータに対して、ＦＦＴ処理、ＩＤＦＴ処理、誤り訂正復号化、ＭＡＣ再送制御受信処理、ＲＬＣレイヤ及びＰＤＣＰレイヤの受信処理を行う。次に、得られた信号は、伝送路インターフェイス２０６を介してコアネットワーク３０に転送される。呼プロセッサ２０５は、通信チャネルの設定や解放等の呼処理、ＢＳ２０の状態管理、無線リソースの管理を行う。
【００８８】
（ユーザ機器の構成）
【００８９】
図１３を参照して、本発明の１つ又は複数の実施形態によるＵＥ１０について以下に説明する。図１３は、本発明の１つ又は複数の実施形態によるＵＥ１０の概略構成である。ＵＥ１０は、複数のＵＥアンテナ１０１、増幅器１０２、トランシーバ（送信機／受信機）１０３１を含む回路１０３、コントローラ１０４、及びアプリケーション１０５を有する。
【００９０】
ＤＬに関して、ＵＥアンテナ１０１で受信された無線周波数信号は、それぞれの増幅器１０２で増幅され、トランシーバ１０３１でベースバンド信号に周波数変換される。これらのベースバンド信号は、コントローラ１０４において、ＦＦＴ処理、誤り訂正復号化、及び再送信制御等の受信処理を受ける。ＤＬユーザデータは、アプリケーション１０５に転送される。アプリケーション１０５は、物理レイヤ及びＭＡＣレイヤの上位レイヤに関する処理を行う。ダウンリンクデータでは、ブロードキャスト情報もアプリケーション１０５に転送される。
【００９１】
一方、ＵＬユーザデータは、アプリケーション１０５からコントローラ１０４に入力される。コントローラ１０４では、再送制御（ハイブリッドＡＲＱ）送信処理、チャネルコーディング、プリコーディング、ＤＦＴ処理、ＩＦＦＴ処理等が行われ、得られた信号は、各トランシーバ１０３１に転送される。トランシーバ１０３１では、コントローラ１０４から出力されたベースバンド信号は、無線周波数帯に変換される。その後、周波数変換された無線周波信号は、増幅器１０２で増幅された後に、アンテナ１０１から送信される。
【００９２】
本発明の１つ又は複数の実施形態は、ＰＤＣＣＨ／ＰＵＣＣＨ／ＰＤＳＣＨビーム指標のためのＭＡＣ  ＣＥタイミング設計に関する。例えば、本発明の１つ又は複数の実施形態は、１つ又は複数のＴＣＩ状態／空間関係情報構成がＲＲＣシグナリングによって１つの制御リソースセット（ＣＯＲＥＳＥＴ）に構成される場合に適用することができる。本発明の１つ又は複数の実施形態は、８つ以上のＴＣＩ状態／空間関係情報構成がＰＤＳＣＨのために構成される場合に適用することができる。本発明の１つ又は複数の実施形態は、１つ又は複数のＴＣＩ状態／空間関係情報構成がＲＲＣシグナリングによって１つのＣＯＲＥＳＥＴのために構成される場合に適用することができる。
【００９３】
本開示は、主に、ＮＲに基づくチャネル及びシグナリング方式の例を説明したが、本発明はそれに限定されるものではない。本発明の実施形態は、ＬＴＥ／ＬＴＥーＡ等のＮＲと同じ機能を有する別のチャネル及びシグナリング方式、並びに新たに規定されたチャネル及びシグナリング方式に適用することができる。
【００９４】
本開示は、様々なシグナリング方法の例を説明したが、本発明の実施形態によるシグナリングは、明示的に又は暗黙的に実行され得る。
【００９５】
上記の例及び変形例は、互いに組み合わせることができ、これらの例の様々な特徴は、様々な組合せで互いに組み合わせることができる。本発明は、本明細書に開示される特定の組合せに限定されるものではない。
【００９６】
本開示は限られた数の実施形態のみに関して説明してきたが、この開示の利益を有する当業者は、本発明の範囲から逸脱することなく様々な他の実施形態を案出し得ることを理解するであろう。従って、本発明の範囲は、添付の特許請求の範囲によってのみ制限されるべきである。
【図１】
2021512528.tif 000003
【図２】
2021512528.tif 000004
【図３】
2021512528.tif 000005
【図４】
2021512528.tif 000006
【図５】
2021512528.tif 000007
【図６】
2021512528.tif 000008
【図７】
2021512528.tif 000009
【図８】
2021512528.tif 000010
【図９】
2021512528.tif 000011
【図１０】
2021512528.tif 000012
【図１１】
2021512528.tif 000013
【図１２】
2021512528.tif 000014
【図１３】
2021512528.tif 000015
【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
物理下り共有チャネル、ＰＤＳＣＨ、受信のための１又は複数のＴＣＩ  ｓｔａｔｅをアクティベートするＭｅｄｉｕｍ  Ａｃｃｅｓｓ  Ｃｏｎｔｒｏｌ  Ｃｏｎｔｒｏｌ  Ｅｌｅｍｅｎｔ、ＭＡＣ  ＣＥ、アクティベーションコマンドを受信し、下りリンク制御情報、ＤＣＩ、を下りリンク制御チャネルで受信する受信部と、
スロットｎで前記ＭＡＣ  ＣＥアクティベーションコマンドに関連するＨＡＲＱを送信する送信部と、
前記アクティベートされる１又は複数のＴＣＩ  ｓｔａｔｅと前記ＤＣＩのフィールドであるＴｒａｎｓｍｉｓｓｉｏｎ  Ｃｏｎｆｉｇｕｒａｔｉｏｎ  Ｉｎｄｉｃａｔｉｏｎのコードポイントとの間のマッピングを、前記ＨＡＲＱ送信のスロットｎのｋスロット後のスロットにおいて適用するプロセッサと、
を備える、
端末。
【請求項２】
前記１又は複数のＴＣＩ  ｓｔａｔｅは、Ｒａｄｉｏ  Ｒｅｓｏｕｒｃｅ  Ｃｏｎｔｒｏｌ、ＲＲＣ、シグナリングで示される、
請求項１に記載の端末。
【請求項３】
前記ＴＣＩ  ｓｔａｔｅは、１つ又は複数のｄｏｗｎｌｉｎｋ  ｒｅｆｅｒｅｎｃｅ  ｓｉｇｎａｌｓと、ＰＤＳＣＨのＤＭ−ＲＳポートとの間のＱＣＬ関係を示す、
請求項１に記載の端末。
【請求項４】
前記ｋの値は、ＲＲＣシグナリングによって示される、
請求項１に記載の端末。
【請求項５】
物理下り共有チャネル、ＰＤＳＣＨ、受信のための１又は複数のＴＣＩ  ｓｔａｔｅをアクティベートするＭｅｄｉｕｍ  Ａｃｃｅｓｓ  Ｃｏｎｔｒｏｌ  Ｃｏｎｔｒｏｌ  Ｅｌｅｍｅｎｔ、ＭＡＣ  ＣＥ、アクティベーションコマンドを受信し、下りリンク制御情報、ＤＣＩ、を下りリンク制御チャネルで受信するステップと、
スロットｎで前記ＭＡＣ  ＣＥアクティベーションコマンドに関連するＨＡＲＱを送信するステップと、
前記アクティベートされる１又は複数のＴＣＩ  ｓｔａｔｅと前記ＤＣＩのフィールドであるＴｒａｎｓｍｉｓｓｉｏｎ  Ｃｏｎｆｉｇｕｒａｔｉｏｎ  Ｉｎｄｉｃａｔｉｏｎのコードポイントとの間のマッピングを、前記ＨＡＲＱ送信のスロットｎのｋスロット後のスロットにおいて適用するステップと、
を備える、
端末による通信方法。
【請求項６】
物理下り共有チャネル、ＰＤＳＣＨ、受信のための１又は複数のＴＣＩ  ｓｔａｔｅをアクティベートするＭｅｄｉｕｍ  Ａｃｃｅｓｓ  Ｃｏｎｔｒｏｌ  Ｃｏｎｔｒｏｌ  Ｅｌｅｍｅｎｔ、ＭＡＣ  ＣＥ、アクティベーションコマンドを受信し、下りリンク制御情報、ＤＣＩ、を下りリンク制御チャネルで受信する受信部と、
スロットｎで前記ＭＡＣ  ＣＥアクティベーションコマンドに関連するＨＡＲＱを送信する送信部と、
前記アクティベートされる１又は複数のＴＣＩ  ｓｔａｔｅと前記ＤＣＩのフィールドであるＴｒａｎｓｍｉｓｓｉｏｎ  Ｃｏｎｆｉｇｕｒａｔｉｏｎ  Ｉｎｄｉｃａｔｉｏｎのコードポイントとの間のマッピングを、前記ＨＡＲＱ送信のスロットｎのｋスロット後のスロットにおいて適用するプロセッサと、
を備える、端末と、
前記ＭＡＣ  ＣＥアクティベーションコマンドを送信し、前記ＤＣＩを下りリンク制御チャネルで送信する送信部と、
前記ＭＡＣ  ＣＥアクティベーションコマンドに関連するＨＡＲＱを受信する受信部と、
を備える基地局と、
を備えるシステム。
【国際調査報告】
2021512528.tif 000016
2021512528.tif 000017